(57)【要約】【課題】平面型画像表示装置の蛍光面の混色を防止して高輝度化と長寿命化を図る。【解決手段】映像信号配線８上に配置される電子源１０の表面の平面形状を略瓢箪形とした。【選択図】    図３
2009123460.tif 000002
【特許請求の範囲】
【請求項１】
第１の方向に延在してこの第１の方向と交差する第２の方向に並設された複数の映像信号配線と、前記第２の方向に延在して前記第１の方向に並設された複数の走査信号配線と、前記映像信号配線と走査信号配線間に介挿された絶縁膜と、前記映像信号配線と前記走査信号配線との交叉部近傍に設けられ、前記走査信号配線と接続した平面型の複数の電子源とを有する背面基板と、
この背面基板と対向する内表面に複数のＢＭ窓部を備えて配置されたブラックマトリクス膜と、このブラックマトリクス膜の前記複数のＢＭ窓部を覆って前記内表面に配置され前記電子源からの電子の励起で発光する蛍光体層を有する蛍光膜と、この蛍光膜を覆うメタルバック層を有し、前記背面基板と所定の間隔を隔てて対向配置された前面基板と、
前記背面基板と前記前面基板間に配置され前記両基板を所定の間隔に保持する枠体と、
前記枠体の端面と前記前面基板及び背面基板とを気密封着する封着部材とを具備する平面型画像表示装置であって、
前記電子源は、前記前面基板と対向する平面形状を前記第１の方向に長軸を、又前記第２の方向に短軸を有する略長方形とし、かつ前記長軸方向の両端部付近の前記短軸方向の幅を、前記長軸方向の長さの略中心上の前記短軸方向の幅より大としたことを特徴とする平面型画像表示装置。
【請求項２】
前記電子源は前記長軸方向の長さの略中心上の前記短軸方向の幅が、前記電子源の前記短軸方向の幅の中の最小幅であることを特徴とする請求項１に記載の平面型画像表示装置。
【請求項３】
前記電子源の前記短軸方向の幅の最小寸法は、前記短軸方向の最大幅の５０％以上であることを特徴とする請求項１又は２に記載の平面型画像表示装置。
【請求項４】
前記略長方形の電子源は略瓢箪形であることを特徴とする請求項１乃至３の何れかに記載の平面型画像表示装置。
【請求項５】
前記略長方形の電子源は略鼓形状であることを特徴とする請求項１乃至３の何れかに記載の平面型画像表示装置。
【請求項６】
前記ＢＭ窓部は前記長軸と同方向に長軸を備えた略矩形形状であることを特徴とする請求項１乃至５の何れかに記載の平面型画像表示装置。
【請求項７】
前記電子源の前記短軸方向の幅の最小寸法上の短軸と前記長軸との交点を電子源重心位置とし、この電子源重心位置が、対向する前記ＢＭ窓部の重心位置と略同軸であることを特徴とする請求項６に記載の平面型画像表示装置。
【請求項８】
前記電子源が、下部電極と上部電極及びこれら下部電極と上部電極との間に挟持される電子加速層を有し、前記下部電極と上部電極間に電圧を印加することで前記上部電極より電子を放出する薄膜型電子源アレイであることを特徴とする請求項１乃至７の何れかに記載の平面型画像表示装置。
【発明の詳細な説明】
【技術分野】
【０００１】
本発明は、自発光型フラットパネル型画像表示装置に係り、特に薄膜型電子源をマトリクス状に配列した画像表示装置に関する。
【背景技術】
【０００２】
マトリクス状に配置した電子源を有する自発光型フラットパネルディスプレイ（ＦＰＤ）の一つとして、微少で集積可能な冷陰極を利用する電界放出型画像表示装置（ＦＥＤ：Ｆｉｅｌｄ  Ｅｍｉｓｓｉｏｎ  Ｄｉｓｐｌａｙ）や電子放出型画像表示装置が知られている。
この冷陰極には、スピント型電子源、表面伝導型電子源、カーボンナノチューブ型電子源、金属―絶縁体―金属を積層したＭＩＭ（Ｍｅｔａｌ−Ｉｎｓｕｌａｔｏｒ−Ｍｅｔａｌ）型、金属―絶縁体―半導体を積層したＭＩＳ（Ｍｅｔａｌ−Ｉｎｓｕｌａｔｏｒ−Ｓｅｍｉｃｏｎｄｕｃｔｏｒ）型、あるいは金属―絶縁体―半導体−金属型等の薄膜型電子源などがある。
【０００３】
一般的な自発光型ＦＰＤは、上記のような電子源をガラス板等の絶縁板上に備えた背面基板と、蛍光体層及びこの蛍光体層に前記電子源から放出される電子を射突させるための電界を形成する陽極とをガラスを好適とする光透過性の材料からなる板上に備えた前面基板と、両基板の対向する内部空間を所定の間隔に保持する枠体とを備え、前記両基板と枠体で形成される表示領域を含む内部空間を真空状態に保持する表示パネル構成とし、この表示パネルに駆動回路を組み合わせて構成される。
【０００４】
又、前記背面基板上には、一方向に延在し該一方向と直交する他方向に並設された複数の映像信号配線と、この映像信号配線を覆って形成された絶縁膜と、この絶縁膜上で前記他方向に延在し前記映像信号配線に交差する如く前記一方向に並設され走査信号が順次印加される複数の走査信号配線を備えている。加えて前記走査信号配線と映像信号配線の交差部付近に上記の電子源がそれぞれ設けられ、走査信号配線と電子源とは給電電極で接続され、走査信号配線から電子源に電流が供給される構成が一般的である。
【０００５】
更に、前記個々の電子源は前記前面基板上に配置された対応する蛍光体層と対になって単位画素を構成する。通常は、赤（Ｒ）、緑（Ｇ）、青（Ｂ）の３色の単位画素で一つの画素（カラー画素、ピクセル）が構成される。なお、カラー画素の場合、単位画素は副画素（サブピクセル）とも呼ばれる。
【０００６】
上述の構成に加え、前述したような画像表示装置では、背面基板と前面基板間の前記枠体で囲繞された表示領域を含む真空領域内に複数の間隔保持部材（スペーサ）が配置固定され、前記両基板間の間隔を前記枠体と協働して所定間隔に保持している。このスペーサは、一般にはガラスやセラミックスなどの絶縁材あるいは幾分かの導電性を有する部材で形成した板状体からなり、通常、複数の画素ごとに画素の動作を妨げない位置に設置される。
【０００７】
又、封止枠となる枠体は背面基板と前面基板との内周縁にフリットガラスなどの封着部材で固着され、この固着部が気密封着され封止領域となっている。両基板と枠体とで形成される真空領域内部の真空度は、例えば１０-5〜１０-7Ｔｏｒｒ程度である。
【０００８】
更に、前記枠体と背面基板との封止領域には、背面基板に形成された走査信号配線につながる走査信号配線引出端子や映像信号配線につながる映像信号配線引出端子がそれぞれ貫通する。
【０００９】
前述したＭＩＭ型電子源については、例えば特許文献１、２に開示されている。ＭＩＭ型電子源の構造と動作の概要は以下のとおりである。すなわち、上部電極と下部電極との間に絶縁層を介在させた構造を有し、上部電極と下部電極との間に電圧を印加することで、下部電極中のフェルミ準位近傍の電子がトンネル現象により障壁を透過し、電子加速層である絶縁層の伝導帯へ注入されホットエレクトロンとなり、上部電極の伝導帯へ流入する。これらのホットエレクトロンのうち、上部電極の仕事関数φ以上のエネルギーをもって上部電極表面に達したものが真空中に放出される。
【特許文献１】特開２００４−３６３０７５号公報
【特許文献２】特開２００６−６６２４９号公報
【発明の開示】
【発明が解決しようとする課題】
【００１０】
前記特許文献１、２に開示されたような構成の平面型画像表示装置では、前面基板の蛍光体層に、背面基板側に配置された電子源から発射された電子ビームを加速して射突させ、励起することで当該蛍光体層の発光特性に応じた色光で発色する構成となっている。
更に、特許文献２では電子源の電子放出領域の平面形状が矩形であることに起因する局部的な電流集中を防止する構成が開示されている。
【００１１】
前記特許文献１、２を含む従来の平面型画像表示装置では、前記電子源からの電子の一部が蛍光面上で特許文献２の図１６に示すように末広がりとなる。
このため、電子が対向する所望の蛍光体層とこれに隣接する異色発光の蛍光体層を同時に励起して混色を発生させる問題があった。
図７は従来の平面型画像表示装置の前面基板の外面、すなわち映視像面側から電子源側を透視した模式平面図である。図７において、蛍光面に対向する表面が略長方形の電子源１０Ｒ，１０Ｂ、１０Ｇから出た電子は、蛍光面上の対応するＢＭ窓部１６１Ｒ、１６１Ｂ、１６１Ｇをそれぞれ通り、蛍光面上にそれぞれビームスポットＢＰＲ，ＢＰＢ，ＢＰＧを投射する。
この投射されるビームスポット形状は電子源の形状の影響を受け、略楕円形状を呈して混色発生の一因となっている。
この混色の発生は、表示装置の色純度の低下及び輝度低下を招き、表示品位を損なう問題があった。
【００１２】
本発明の目的は、混色の発生を防止し、色純度の確保と高輝度化を可能とし、表示品位の優れた信頼性の高い長寿命の平面型画像表示装置を提供することにある。
【課題を解決するための手段】
【００１３】
上記目的を達成するため本発明では、第１の方向に延在してこの第１の方向と交差する第２の方向に並設された複数の映像信号配線と、前記第２の方向に延在して前記第１の方向に並設された複数の走査信号配線と、前記映像信号配線と走査信号配線間に介挿された絶縁膜と、前記映像信号配線と前記走査信号配線との交叉部近傍に設けられ、前記走査信号配線と接続した平面型の複数の電子源とを有する背面基板と、複数のＢＭ窓部を有するブラックマトリクス膜及び蛍光体層を備えた前面基板とを対向配置したカラー表示が可能な平面型画像表示装置で、前記電子源の蛍光面と対向する表面の平面形状を、前記第１の方向に長軸を、又前記第２の方向に短軸を持つ略長方形とし、この略長方形の長手方向中央部を最小幅、その両端部付近に最大幅を持つ略瓢箪形或は略鼓形状のような構成とした。
これらの構成とした平面型画像表示装置に、映像信号駆動回路、走査信号駆動回路、その他の周辺回路を組み込んで自発光平面表示装置を構成する。
【発明の効果】
【００１４】
混色の発生を防止し、色純度の確保と高輝度化を可能とし、表示品位の優れた信頼性の高い長寿命の平面型画像表示装置を得ることが出来る。
【発明を実施するための最良の形態】
【００１５】
以下、本発明の実施の形態について、図面を参照して詳細に説明する。
【実施例１】
【００１６】
図１乃至図４は本発明の平面型画像表示装置の一実施例を説明するための図で、図１（ａ）は前面基板側から見た模式平面図、図１（ｂ）は図１（ａ）の模式側面図、図２は図１（ｂ）のＡ−Ａ線に沿った模式平面図、図３は本発明の平面型画像表示装置の画素を構成する電子源の一例を説明する模式平面図、図４は図２のＢ−Ｂ線に沿った背面基板の模式断面図とその背面基板と対応する部分の前面基板の模式断面図である。
【００１７】
図１乃至図４において、参照符号１は背面基板、２は前面基板、３は枠体、４は排気管、５は封着部材、６は表示領域を含む真空領域、７は貫通孔、８は映像信号配線、９は走査信号配線、１０は電子源、１１は接続配線、１２はスペーサ、１３は接着部材、１４は層間絶縁膜、１５は蛍光体層、１６は遮光用のＢＭ（ブラックマトリクス）膜、１７は金属薄膜からなるメタルバック（陽極電極）である。
【００１８】
参照符号１で示す背面基板と前面基板２は略矩形状を呈し、厚さ数ｍｍ、例えば１〜１０ｍｍ程度のガラス板からそれぞれ構成されている。
３は枠状を呈する枠体で、この枠体３は例えばフリットガラスの燒結体或いはガラス板等から構成され、単体で若しくは複数部材の組み合わせで略矩形状とされ、前記両基板１、２間に介挿されている。
この枠体３は、前記両基板１、２間の周縁部に介挿され、両端面が両基板１、２と気密接合されている。この枠体３の厚さは数ｍｍ〜数十ｍｍ、その高さは両基板１、２間の前記間隔に略等しい寸法に設定されている。
４は排気管で、この排気管４は前記背面基板１に固着されている。
５は封着部材で、この封着部材５は例えば低融点フリットガラス、例えばＰｂＯ：７５〜８０ｗｔ％、Ｂ２  Ｏ３  ：約１０ｗｔ％、その他：１０〜１５ｗｔ％等の組成からなり、かつ非晶質タイプのフリットガラスを含むガラス材料からなるもの等が知られており、前記枠体３と両基板１、２間を接合して気密封着している。
【００１９】
前記枠体３と両基板１、２及び封着部材５で囲まれた表示領域を含む真空領域６は前記排気管４を介して排気され、例えば１０-5〜１０-7Ｔｏｒｒの真空度を保持している。又、前記排気管４は前述のように前記背面基板１の外表面に取り付けられ、この背面基板１を貫通して穿設された貫通孔７に連通しており、排気完了後前記排気管４は封止される。
【００２０】
参照符号８はストライプ状の映像信号配線で、この映像信号配線８は例えばアルミニウム（Ａｌ）膜、アルミニウムとネオジムの合金（Ａｌ−Ｎｄ）膜等からなり、前記背面基板１の内面に第１の方向（Ｙ方向）に延在し第２の方向（Ｘ方向）に並設されている。
この映像信号配線８の上面には後述する電子源に対応する位置にそれぞれトンネル絶縁膜８２を備え、残部は図示しないフィールド絶縁膜で覆われている。又、この映像信号配線８は真空領域６から枠体３と背面基板１との接合領域を気密に貫通し、背面基板１の長辺側の端部まで延在し、その先端部を映像信号配線引出端子８１としている。
【００２１】
参照符号９はストライプ状の走査信号配線で、この走査信号配線９は前記映像信号配線８上でこれと交差する前記第２の方向（Ｘ方向）に延在し前記第１の方向（Ｙ方向）に並設されている。この走査信号配線９はアルミニウム膜或はアルミニウムを主成分とするアルミニウム合金膜等から構成されている。又、この走査信号配線９は真空領域６から枠体３と背面基板１との接合領域を気密に貫通し、背面基板１の短辺側の端部まで延在し、その先端部を走査信号配線引出端子９１としている。
【００２２】
又、前記映像信号配線８と、前記走査信号配線９間には層間絶縁膜１４が配置されている。この層間絶縁膜１４としては、例えばシリコン酸化物やシリコン窒化物、シリコンなどを用いることができる。この層間絶縁膜１４は、前記映像信号配線８表面に陽極酸化で形成するフィールド絶縁膜にピンホールがあった場合、その欠陥を埋め、映像信号配線８と走査信号配線９間の絶縁を保つ役割を果たす。
【００２３】
次に、参照符号１０は電子源で、この電子源１０は例えば特許文献１、２に開示された電子源の一種のＭＩＭ型電子源で、この電子源１０は前記走査信号配線９と映像信号配線８の交差部近傍で、前記映像信号配線８の前記トンネル絶縁膜８２に設けられている。この電子源１０は前記走査信号配線９と接続配線１１で接続されている。
【００２４】
この電子源１０は図３にその一例の詳細を示すように蛍光面と対向する表面の平面形状を略瓢箪形の略長方形としている。
すなわち、この実施例１の電子源１０は、映像信号配線８の表面にこの映像信号配線８の延在方向の第１の方向に長軸ＣＬを、又長軸ＣＬと直交する第２の方向に短軸ＳＬを有する略瓢箪形を呈している。
この略瓢箪形の電子源１０は、前記長軸ＣＬと同方向の全長をＨ１、短軸ＳＬと同方向の最大幅Ｗ１、同方向の最小幅Ｗ２、前記最大幅Ｗ１間の長さをＨ２とし、前記最大幅Ｗ１を長さ方向の両端部に配置し、更にその外側を半円状の突出部１０１とした構成である。
又、前記最小幅Ｗ２は全長Ｈ１の１／２寸法（中心）点で短軸ＳＬ上に配置した構成であり、更に、長短軸ＣＬ、ＳＬの交点１０２を電子源１０の重心としてある。
【００２５】
この略瓢箪形の電子源１０において、前記短軸ＳＬ上の最小幅Ｗ２の寸法は、最大幅Ｗ１の５０％以上で、かつ略瓢箪形を呈する構成が必要で、これが５０％未満では前記短軸ＳＬを境に電子ビームが２分割されて、表示に支障を来たす恐れがある。
【００２６】
次に、参照符号１２はスペーサで、このスペーサ１２はセラミックス材等の絶縁材料からなり、抵抗値の偏在が少なく、かつ長方形の薄板形状に整形された絶縁性基体１２１と、この絶縁性基体１２１の表面を覆い、かつ抵抗値の偏在の少ない被膜層１２２から構成されている。
このスペーサ１２は１０8〜１０9Ω・ｃｍ程度の抵抗値を有し、全体として抵抗値の偏在の少ない構成となっている。
このスペーサ１２は前記枠体３と略平行で走査信号配線９上に１本おきに直立配置され、接着部材１３で両基板１、２と接着固定している。
このスペーサ１２の基板との接着固定は一端側のみでも良く、更にその配置は通常、複数の画素毎に画素の動作を妨げない位置に設置される。
【００２７】
このスペーサ１２の寸法は基板寸法、枠体３の高さ、基板素材、スペーサの配置間隔、スペーサ素材等により設定されるが、一般的には高さは前述した枠体３と略同一寸法、厚さは数十μｍ〜数ｍｍ以下、長さは２０ｍｍ乃至１０００ｍｍ程度、更にはそれ以上の長尺も可能であるが、好ましくは８０ｍｍ乃至３００ｍｍ程度が実用的な値となる。
【００２８】
一方、前記スペーサ１２の一端側が固定された前面基板２の内面には、赤色、緑色、青色用の蛍光体層１５が遮光用のＢＭ（ブラックマトリクス）膜１６で区画されたＢＭ窓部１６１に配置され、これらを覆うように金属薄膜からなるメタルバック（陽極電極）１７が例えば蒸着方法で設けられて、蛍光面を形成している。
このメタルバック１７は前面基板２と反対側、つまり背面基板１側への発光を前面基板２側へ向け反射させ、発光の取り出し効率を上げる為の光反射膜であると共に蛍光体粒子の表面の帯電を防ぐ機能も合わせ持っている。
又、このメタルバック１７は面電極として示してあるが、走査信号配線９と交差して画素列ごとに分割されたストライプ状電極とすることもできる。
【００２９】
前記蛍光体としては、例えば赤色用としてＹ2Ｏ3：Ｅｕ、Ｙ2Ｏ2Ｓ：Ｅｕを、又、緑色用としてＺｎＳ：Ｃｕ，Ａｌ、Ｙ2ＳｉＯ5：Ｔｂ、更に、青色用としてＺｎＳ：Ａｇ，Ｃｌ、ＺｎＳ：Ａｇ，Ａｌ等を用いることができる。この蛍光体層１５は蛍光体粒子の平均粒径は例えば４μｍ〜９μｍ、膜厚は例えば１０μｍ〜２０μｍ程度となっている。
【００３０】
この蛍光面構成を更に詳細に説明すると、前面基板２の内面にブラックマトリクス膜１６が複数のＢＭ窓部１６１を備えて被着形成されている。
このブラックマトリクス膜１６のＢＭ窓部１６１は、前記映像信号配線８の延在方向に長辺、前記走査信号配線９の延在方向に短辺を持つ略矩形状に形成されており、この矩形状を呈するＢＭ窓部１６１の中心点を重心とし、この重心位置を前記走査信号配線９の延在方向に揃えて順次配置されている。
このブラックマトリクス膜１６のＢＭ窓部１６１を塞ぎ、かつ背面の一部まで延在して蛍光体層１５がそれぞれ前記所定のＢＭ窓部に配置されている。
このＢＭ窓部１６１と、これに対向して背面基板１側に配置された前記電子源１０との相対位置は、電子源重心１０２を前記ＢＭ窓部１６１の重心位置に合致させた配置としている。
【００３１】
この電子源１０の略瓢箪形と、前記ＢＭ窓部１６１との組み合わせで蛍光面上に照射される電子ビームのスポットは略瓢箪形状となる。
この略瓢箪形状のビームスポットは、蛍光面上ではビームスポットの上下では隣接する異色のビームスポットと重畳する部分が発生するが、この重畳部分はＢＭ膜で覆われているため映視像面には発色は現れない。
一方、前記ビームスポットの中央部分は前記上下より幅狭で、隣接する異色のビームスポットとは重畳が避けられ、前記ＢＭ窓部１６１の寸法で規制された他色領域まで合わせて照射することは防止できる。
従って映視像面での混色を防止できる。
この構成では、蛍光体層が所定の色光で発光し、他画素の蛍光体の正規の発光色と合成されて所定の色のカラー画素を構成する。
【実施例２】
【００３２】
図５は本発明の平面型画像表示装置の他の実施例を説明する電子源の模式平面図で、前述した図と同じ部分には同一記号を付してある。
図５において、この電子源１０は蛍光面と対向する表面の平面形状を略鼓形状の略長方形としている。
すなわち、この実施例２の電子源１０は、映像信号配線８の表面にこの映像信号配線８の延在方向の第１の方向に長軸ＣＬを、又長軸ＣＬと直交する第２の方向に短軸ＳＬを有する略鼓形状を呈している。
この略鼓形状の電子源１０は、前記長軸ＣＬと同方向の全長をＨ１、短軸ＳＬと同方向の最大幅Ｗ１、同方向の最小幅Ｗ２とし、前記最大幅Ｗ１を長さ方向の両端部に配置した構成である。
又、前記最小幅Ｗ２は全長Ｈ１の１／２寸法（中心）点で短軸ＳＬ上に配置した構成であり、更に、長短軸ＣＬ、ＳＬの交点１０２を電子源１０の重心としてある。
【００３３】
この略鼓形状の電子源１０において、前記短軸ＳＬ上の最小幅Ｗ２の寸法は、最大幅Ｗ１の５０％以上で、かつ略鼓形状を呈する構成が必要で、これが５０％未満では前記短軸ＳＬを境に電子ビームが２分割されて、表示に支障を来たす恐れがある。
この電子源１０の略鼓形状と、前記ＢＭ窓部１６１との組み合わせで蛍光面上に照射される電子ビームのスポットは前記実施例１と略同様な略瓢箪形状となる。
【００３４】
この略瓢箪形状のビームスポットは、前記実施例１と同様に蛍光面上ではビームスポットの上下では隣接する異色のビームスポットと重畳する部分が発生するが、この重畳部分はＢＭ膜で覆われているため映視像面には発色は現れない。
一方、前記ビームスポットの中央部分は前記上下より幅狭で、隣接する異色のビームスポットとは重畳が避けられ、前記ＢＭ窓部１６１の寸法で規制された他色領域まで合わせて照射することは防止できる。
従って映視像面での混色を防止できる。
この構成では、蛍光体層が所定の色光で発光し、他画素の蛍光体の正規の発光色と合成されて所定の色のカラー画素を構成する。
【００３５】
図６は、本発明の構成を適用した平面型画像表示装置の等価回路例の説明図である。図６中に破線で示した領域は表示領域を含む真空領域６であり、この真空領域６にｎ本の映像信号配線８とｍ本の走査信号配線９が互いに交差して配置されてｎ×ｍのマトリクスが形成されている。マトリクスの各交差部は副画素を構成し、図中の３つの単位画素（あるいは、副画素）"Ｒ"，"Ｇ"，"Ｂ"の１グループでカラー１画素を構成する。なお、電子源の構成は図示を省いた。映像信号配線８は、映像信号配線引出端子８１で映像信号駆動回路ＤＤＲに接続され、走査信号配線９は走査信号配線引出端子９１で走査信号駆動回路ＳＤＲに接続されている。映像信号駆動回路ＤＤＲには外部信号源から映像信号ＮＳが入力され、走査信号駆動回路ＳＤＲには同様に走査信号ＳＳが入力される。
【００３６】
これにより、順次選択される走査信号配線９に交差する映像信号配線８に映像信号を供給することで、二次元のフルカラー画像を表示することができる。
【００３７】
以上の実施例では、電子源にＭＩＭ型を用いた構造を例としたが、本発明はこれに限定されるものではなく、前記した各種の電子源を用いた自発光型ＦＰＤに対しても同様に適用できるものである。
又、電子源の表面形状例を略瓢箪形、略鼓形状としたが、本発明はこれに限定されるものではなく、前記した略瓢箪形の電子ビームスポットが得られる形状であれば同様に適用できるものである。
更に、アルミニウム合金としてネオジムを含む例を示したが、これに限定されることなく例えば数％以下でＴａ、Ｃｕ、Ｓｉ等必要により種々のものが用いられる。
【図面の簡単な説明】
【００３８】
【図１】本発明の平面型画像表示装置の一実施例を説明するための図で、図１（ａ）は前      面基板側から見た模式平面図、図１（ｂ）は図１（ａ）の模式側面図である。
【図２】図１（ｂ）のＡ―Ａ線に沿った模式平面図である。
【図３】本発明の平面型画像表示装置の電子源の一例を説明する模式平面図である。
【図４】図２のＢ−Ｂ線に沿った背面基板の模式断面図とその背面基板と対応する部分の      前面基板の模式断面図である。
【図５】本発明の平面型画像表示装置の他の実施例の電子源の例を説明するための模式平      面図である。
【図６】本発明の構成を適用した平面型画像表示装置の等価回路例の説明図である。
【図７】従来の平面型画像表示装置の構成を説明するための模式平面図である。
【符号の説明】
【００３９】
１・・・背面基板、２・・・前面基板、３・・・枠体、４・・・排気管、５・・・封着部材、６・・・表示領域を含む真空領域、７・・・貫通孔、８・・・映像信号配線、８２・・・トンネル絶縁層、９・・・走査信号配線、１０・・・電子源、１１・・・接続配線、１２・・・スペーサ、１３・・・接着部材、１４・・・層間絶縁膜、１５・・・蛍光体層、１６・・・遮光用のＢＭ（ブラックマトリクス）膜、１７・・・金属薄膜からなるメタルバック（陽極電極）。
【図１】
2009123460.tif 000003
【図２】
2009123460.tif 000004
【図３】
2009123460.tif 000005
【図４】
2009123460.tif 000006
【図５】
2009123460.tif 000007
【図６】
2009123460.tif 000008
【図７】
2009123460.tif 000009